(57)【要約】    【課題】      使用者が意識することなく自動的にマナーモードの開始およびマナーモードの停止を行うことのできること。    【解決手段】  設定時刻保持部１０７は、マナーモードの設定を開始する開始設定時刻と、マナーモードの設定を停止する停止設定時刻とを保持する。時刻設定部１０９は、マナーモードの設定操作を検出することによって、マナーモードに設定された開始時刻と、マナーモードの設定が停止した停止時刻とを取得し、検出した開始時刻と停止時刻とをそれぞれ開始設定時刻と停止設定時刻として、設定時刻保持部１０７へ格納する。モード管理部１０６は、設定時刻保持部１０７に保持された開始設定時刻と停止設定時刻とに基づいて、マナーモードの設定の開始または停止を制御する。  【選択図】      図１
2006050293.tif 000002
【特許請求の範囲】
【請求項１】
マナーモードの設定を開始する開始設定時刻を保持する設定時刻保持手段と、
マナーモードの設定操作を検出することによって、マナーモードに設定された開始時刻を取得し、検出した開始時刻を開始設定時刻として、前記設定時刻保持手段へ格納する時刻設定手段と、
前記設定時刻保持手段に保持された開始設定時刻に基づいて、マナーモードの設定の開始を制御するモード管理手段と、
を備えることを特徴とするマナーモード設定方式。
【請求項２】
前記設定時刻保持手段は、さらに、マナーモードの設定を停止する停止設定時刻を保持し、
前記時刻設定手段は、マナーモードの設定操作を検出することによって、マナーモードの設定が停止した停止時刻を取得し、検出した停止時刻を停止設定時刻として、前記設定時刻保持手段へ格納し、
前記モード管理手段は、前記設定時刻保持手段に保持された停止設定時刻に基づいて、マナーモードの設定の停止を制御することを特徴とする請求項１記載のマナーモード設定方式。
【請求項３】
前記時刻設定手段は、前記開始時間と、既に前記設定時刻保持手段に保持されている開始設定時刻とを比較し、前記設定時刻保持手段へ格納するか否かを判断することを特徴とする請求項１または請求項２記載のマナーモード設定方式。
【請求項４】
前記時刻設定手段は、前記開始時間および前記停止時間と、既に前記設定時刻保持手段に保持されている開始設定時刻および停止設定時刻とを比較し、前記設定時刻保持手段へ格納するか否かを判断することを特徴とする請求項２記載のマナーモード設定方式。
【請求項５】
マナーモードの設定を停止する停止設定時刻を保持する設定時刻保持手段と、
マナーモードの設定操作を検出することによって、マナーモードの設定が停止した停止時刻を取得し、検出した停止時刻を停止設定時刻として、前記設定時刻保持手段へ格納する時刻設定手段と、
前記設定時刻保持手段に保持された停止設定時刻に基づいて、マナーモードの設定の停止を制御するモード管理手段と、
を備えることを特徴とするマナーモード設定方式。
【請求項６】
前記時刻設定手段は、前記停止時間と、既に前記設定時刻保持手段に保持されている停止設定時刻とを比較し、前記設定時刻保持手段へ格納するか否かを判断することを特徴とする請求項４記載のマナーモード設定方式。
【請求項７】
マナーモードの設定操作を検出することによって、マナーモードに設定された開始時刻と、検出した開始時刻を、マナーモードの設定を開始する開始設定時刻として、設定時刻保持記憶領域へ格納する時刻設定工程と、
前記設定時刻保持記憶領域に保持された開始設定時刻に基づいて、マナーモードの設定の開始を制御するモード管理工程と、
を備えることを特徴とするマナーモード設定方法。
【請求項８】
マナーモードの設定操作を検出することによって、マナーモードの設定が停止した停止時刻を取得し、検出した停止時刻を、マナーモードの設定を停止する停止設定時刻として、設定時刻保持記憶領域へ格納する時刻設定工程と、
前記設定時刻保持記憶領域に保持された停止設定時刻に基づいて、マナーモードの設定の停止を制御するモード管理工程と、
を備えることを特徴とするマナーモード設定方法。
【発明の詳細な説明】
【技術分野】
【０００１】
本発明は、通信装置のマナーモード設定方式及び方法に関する。
【背景技術】
【０００２】
従来の携帯電話機のマナーモード設定装置は、携帯電話機の使用者が手動にてマナーモードの開始および停止を行う必要がある。
【特許文献１】特開２００１−２２４０７５号公報
【発明の開示】
【発明が解決しようとする課題】
【０００３】
しかしながら、従来の携帯電話機のマナーモード設定方式においては、使用者が手動によりマナーモードの開始および停止を行う必要があったためにマナーモードの開始忘れおよびマナーモードの停止忘れが発生するという問題がある。
【０００４】
本発明は、かかる点に鑑みてなされたものであり、電車の乗車時間帯・定期的な会議など定期的な時刻にマナーモードを使用する場合に、使用者が意識することなく自動的にマナーモードの開始およびマナーモードの停止を行うことのできるマナーモード設定方式及び方法を提供することを目的とする。
【課題を解決するための手段】
【０００５】
本発明のマナーモード設定方式は、マナーモードの設定を開始する開始設定時刻と、マナーモードの設定を停止する停止設定時刻とを保持する設定時刻保持手段と、マナーモードの設定操作を検出することによって、マナーモードに設定された開始時刻と、マナーモードの設定が停止した停止時刻とを取得し、検出した開始時刻と停止時刻とをそれぞれ開始設定時刻と停止設定時刻として、前記設定時刻保持手段へ格納する時刻設定手段と、前記設定時刻保持手段に保持された開始設定時刻と停止設定時刻とに基づいて、マナーモードの設定の開始または停止を制御するモード管理手段とを備える構成を採る。
【発明の効果】
【０００６】
本発明の好適な実施の形態によれば、通信装置の使用履歴に基づいて、使用者が手動でマナーモードの開始および停止を操作することなく自動的にマナーモードを設定することができる。
【発明を実施するための最良の形態】
【０００７】
以下、本発明の実施の形態について、図面を参照して詳細に説明する。
【０００８】
（実施の形態１）
図１は、本発明の実施の形態１の携帯電話機のマナーモード設定装置の一例を示す図である。
【０００９】
図１に示した携帯電話機は、アンテナ部１０１、無線部１０２、制御部１０３、モード制御部１０４、時計部１０５，モード管理部１０６，設定時刻保持部１０７、開始時刻保持部１０８、時刻設定部１０９、操作部１１０、表示部１１１、鳴音部１１２を含む構成となっている。
【００１０】
アンテナ部１０１、無線部１０２は携帯電話機の送受信を行う。制御部１０３は、携帯電話の制御を行う。モード制御部１０４はマナーモードの開始および停止に関する制御・管理を行う。操作部１１０はマナーモードの開始および停止に関する操作をユーザから受けつける。時計部１０５は現在時刻を保持する。
【００１１】
設定時刻保持部１０７は、開始設定時刻を開始設定時刻領域２０１へ保持し、停止設定時刻を停止設定時刻領域２０２へ保持する記憶領域である。開始設定時刻および停止設定時刻は、操作部１１０によるマナーモードの開始および停止操作によらず自動的にマナーモードを開始および停止する時刻である。開始設定時刻および停止設定時刻は、モード管理部１０６によって格納される。なお、「開始／停止設定時刻」と記した場合には、開始設定時刻と停止設定時刻とを含む。
【００１２】
開始時刻保持部１０８は、操作部１１０によって手動でマナーモードを開始した手動開始時刻を保持する記憶領域である。
【００１３】
時刻設定部１０９は、操作部１１０の操作を介して、マナーモードの設定が開始／停止されたことを検出し、マナーモードの設定が開始／停止された開始時刻／停止時刻を取得し、それぞれ開始設定時刻／停止設定時刻として、設定時刻保持部１０７へ格納する。
【００１４】
モード管理部１０６は設定時刻保持部１０７に保持されている開始設定時刻および停止設定時刻に基づいて、マナーモードの開始およびマナーモードの停止を行う。
【００１５】
次いで、上記構成を有する携帯電話機の動作について、図２〜図５を用いて説明する。
【００１６】
図２は、本実施の形態に係る設定時刻保持部１０７の構成の一例を示す図である。設定時刻保持部１０７は、n個までの開始設定時刻（自動マナーモード開始時刻）と停止設定時刻（自動マナーモード停止時刻）とを保持することができる。
【００１７】
図３は、本実施の形態に係るマナーモードを自動的に開始および停止させる手順の一例を示すフロー図である。モード管理部１０６は、設定時刻保持部１０７に保持されている時刻に基づいて、マナーモードを開始および停止させる手順を示す。以下各処理ステップを説明する。モード管理部１０６は、所定の時間に起動され、図３に示す手順を実行する。ここでは、所定の時間として一分以下の時間間隔で定期的に起動される場合を前提として説明する。なお、フロー図中、例えば「ステップ３０１」は、「Ｓ３０１」のように記す。
【００１８】
ステップ３０１では、モード管理部１０６が現在時刻を時計部１０５より取得する。ステップ３０２では、モード管理部１０６が現在マナーモードを開始しているか停止しているかを判断する。マナーモードを停止している状態であれば、マナーモードを開始すべき条件であるかを判別するステップ３０３へ分岐し、マナーモードが開始している状態であれば、マナーモードを停止させる条件であるかを判別するステップ３０５へ分岐する。ステップ３０３では、モード管理部１０６がステップ３０１で取得した現在時刻と設定時刻保持部１０７に保持されているｎ個の開始時刻を比較し、もし一致する時刻であるならばステップ３０４のマナーモードの開始を行う。ステップ３０５では、モード管理部１０６は、ステップ３０１で取得した現在時刻と設定時刻保持部１０７に保持されているｎ個の停止時刻を比較し、もし一致する時刻であるならばステップ３０６のマナーモードの停止を行う。
【００１９】
図４は、本実施の形態に係る時刻設定部１０９が現在時刻を保存する手順の一例を示すフロー図である。本手順は操作部１１０によりマナーモード開始が使用者により手動で要求された場合に実施される処理である。以下各処理ステップを説明する。
【００２０】
ステップ４０１では、時刻設定部１０９が操作部１１０からマナーモード設定の操作がなされたことを検出すると、ステップ４０２では、時刻設定部１０９が時計部１０５より現在時刻を取得し、ステップ４０３では、時刻設定部１０９が取得した現在時刻を、操作部１１０によって手動でマナーモードを開始した手動開始時刻として、開始時刻保持部１０８に保存する。
【００２１】
図５は、本実施の形態に係る時刻設定部１０９が設定時刻保持部１０７へ開始時刻と停止時刻とを保存する手順の一例を示すフロー図である。本手順は操作部１１０によりマナーモード停止が使用者により手動で要求された場合に実施される処理である。時刻設定部１０９が操作部１１０からマナーモード設定の操作がなされたことを検出した場合に、図５の処理を実施する。以下各処理ステップを説明する。
【００２２】
ステップ５０１では、時刻設定部１０９が現在時刻を時計部１０５より取得し、前記現在時刻を、操作部１１０によって手動でマナーモードを停止した手動停止時刻とする。ステップ５０２では、時刻設定部１０９が開始時刻保持部１０８に保存されている手動開始時刻または前記手動停止時刻が、設定時刻保持部１０７に保存されている開始設定時刻（１−ｎ）と停止設定時刻（１−ｎ）との間に含まれる時刻であるかを判別する。もし設定時刻保持部１０７のｎ番目の開始設定時刻と停止設定時刻との間（期間）に含まれる時刻であったならば、設定時刻保持部１０７に保持されている開始設定時刻および停止設定時刻を更新するステップ５０３に分岐する。設定時刻保持部１０７のｎ番目の開始時刻と停止時刻の間の時刻に含まれる時刻でないならば、設定時刻保持部１０７に新規開始時刻および新規停止時刻を追加するステップ５０４に分岐する。ステップ５０３では、時刻設定部１０９がステップ５０２で判別された設定時刻保持部１０７のｎ番目の開始設定時刻と停止設定時刻とをそれぞれ手動開始時刻および手動停止時刻で更新する（書き換える）。ステップ５０４では、時刻設定部１０９が設定時刻保持部１０７に、手動開始時刻および手動停止時刻とを用いて、新たなレコードを作成し、開始設定時刻および停止設定時刻を保存する。
【００２３】
開始設定時刻及び停止設定時刻の具体例を説明する。例えば、開始設定時刻１０：００、停止設定時刻１１：００が記憶されているとする。手動開始時刻１０：３０、手動停止時刻１１：３０の場合、開始設定時刻１０：３０、停止設定時刻１１：３０に更新される。手動開始時刻９：３０、手動停止時刻１１：３０の場合、開始設定時刻９：３０、停止設定時刻１１：３０に更新される。手動開始時刻１０：２０、手動停止時刻１０：５０の場合、開始設定時刻１０：２０、停止設定時刻１０：５０に更新される。このように、開始設定時刻と停止設定時刻は、手動開始時刻と手動停止時刻との期間が、開始設定時刻と停止設定時刻との期間と一部分でも重なる場合に更新される。
【００２４】
このように、本実施の形態によれば、使用者が過去にマナーモードの開始および停止を操作した時刻に基づいて、前記時刻に自動的にマナーモードの開始および停止を行うことができる。従って、使用者がマナーモードを使用した開始／停止時刻（マナーモードを使用した時間帯）を保存し、前記開始／停止時刻に自動的にマナーモードの開始および停止を行うことで、使用者が手動でマナーモードの開始および停止を操作することなく自動的に前回マナーモードを使用した時刻にマナーモードを使用することができる。
【００２５】
なお、本実施の形態では、単に、マナーモードの設定の開始／停止を検出して設定時刻保持部１０７へ格納する場合を説明したが、時刻設定部１０９が定期的にマナーモードの設定の開始／停止が実施されているかを判断する工程を追加して、所定の頻度でマナーモードが設定されている時間帯を検出して設定時刻保持部１０７へ開始設定時刻、停止設定時刻を格納するようにしてもよい。これにより、定期的にマナーモードが設定されている時間帯を検出することにより、使用者への利便性が向上する。
【００２６】
また、本実施の形態では、設定時刻保持部１０７は、開始設定時刻と停止設定時刻とを保持する例を説明したが、開始設定時刻と停止設定時刻とのいずれか一方を保持する場合であってもよい。同様に、時刻設定部１０９は、開始設定時刻と停止設定時刻とのいずれかを更新する場合であってもよく、モード管理部１０６は、マナーモードの設定の開始あるいは停止のいずれか一方を制御する場合であってもよい。さらに、開始設定時刻あるいは停止設定時刻は、手動開始時刻が、開始設定時刻を含む所定の期間内の場合、手動停止時刻が、停止設定時刻を含む所定の期間内であれば、開始設定時刻あるいは停止設定時刻を手動開始時刻あるいは手動停止時刻へ更新するようにしてもよい。
【００２７】
（実施の形態２）
本発明の実施の形態２は、図１に示した携帯電話機のマナーモード設定装置の構成を用いて説明する。本実施の形態は、マナーモードに設定したい時間帯を使用者が編集できる点が実施の形態１と異なる。
【００２８】
図６は、本実施の形態に係る設定時刻保持部２０７の構成を表した図である。
【００２９】
設定時刻保持部２０７は、図２の設定時刻保持部１０７へ使用者指定領域２０３を追加した構成である。使用者指定領域は、時刻設定部１０９がレコードを更新する場合に、レコードの変更を禁止するために用いる。
【００３０】
次いで、本実施の形態の動作について、図７、図８を用いて説明する。
【００３１】
図７は、本実施の形態に係る時刻設定部１０９がレコードの変更を禁止する指定をする動作の一例を示すフロー図である。
【００３２】
ステップ７０１では、時刻設定部１０９が、表示部１１１へ、設定時刻保持部２０７へ保持されている開始／停止設定時刻を表示し、レコードの変更を禁止する指定をするか否かの入力を促す。ステップ７０２では、使用者が操作部１１０を介して、禁止を指定する入力をした場合、時刻設定部１０９が、設定時刻保持部２０７の使用者指定領域へ「○」を書き込む（ステップ７０３）。このようにして、時刻設定部１０９がレコードの変更を禁止する指定を行う。
【００３３】
次に、時刻設定部１０９のレコードの更新の動作について説明する。
【００３４】
図８は、本実施の形態に係る時刻設定部がレコード更新の動作の一例を示すフロー図である。
【００３５】
ステップ８０１では、時刻設定部１０９は、使用者指定領域２０３を確認し、使用者指定が無い場合は、レコードの更新をしないで処理を終了し、使用者指定がある場合は、ステップ８０２でレコードの更新を実施する。ステップ８０２のレコードの更新は、図５のステップ５０３と同様の動作であるため説明を省略する。
【００３６】
なお、上記説明では、使用者がレコードの変更を禁止する指定を行う場合を説明したが、使用者が開始／停止設定時刻を入力する構成であってもよい。時刻設定部１０９は、表示部１１１に開始／停止設定時刻の入力を促す画面を表示し、使用者は、操作部１１０を介して開始／停止設定時刻の入力を行う。時刻設定部１０９は、入力された開始／停止設定時刻を設定時刻保持部２０７へ格納する。この際、重複する時間帯がある場合は、広い時間帯を選択して開始／停止設定時刻を格納する。
【００３７】
このように、本実施の形態によれば、使用者が希望するマナーモードの開始／停止設定時間を固定することが可能となり、よりきめ細やかな制御が可能となる。
【００３８】
なお、上記各実施の形態では、図２および図６において、開始／停止設定時刻を保持する例を示したが、各曜日それぞれについて、開始／停止設定時刻を保持するようにしてもよい。これにより、曜日毎のきめ細やかな管理が可能となる。曜日に限らず、特定の日について、開始／停止設定時刻を保持してもよい。
【００３９】
さらに、上記各実施の形態では、マナーモードの設定について説明したが、マナーモードのみでなく、伝言サービスの設定も合わせて行うようにすることも可能である。
【産業上の利用可能性】
【００４０】
本発明に係るマナーモード設定方式およびマナーモード設定方法は、ユーザの利用状況に基づいて自動的にマナーモードを設定することができることより、携帯電話などの通信端末の設定方法及び設定方式として用いるのに好適である。
【図面の簡単な説明】
【００４１】
【図１】本発明の実施の形態１の携帯電話機のマナーモード設定装置の一例を示す図
【図２】上記実施の形態に係る設定時刻保持部の構成の一例を示す図
【図３】上記実施の形態に係るマナーモードを自動的に開始および停止させる手順の一例を示すフロー図
【図４】上記実施の形態に係る時刻設定部が開始時刻保持部に現在時刻を保存する手順の一例を示すフロー図
【図５】上記実施の形態に係る時刻設定部が設定時刻保持部へ開始時刻と停止時刻とを保存する手順の一例を示すフロー図
【図６】本発明の実施の形態２に係る設定時刻保持部の構成を表した図
【図７】上記実施の形態に係る時刻設定部がレコードの変更を禁止する指定をする動作の一例を示すフロー図
【図８】上記実施の形態に係る時刻設定部がレコード更新の動作の一例を示すフロー図
【符号の説明】
【００４２】
１０１  アンテナ部
１０２  無線部
１０３  制御部
１０４  モード制御部
１０５  時計部
１０６  モード管理部
１０７，２０７  設定時刻保持部
１０８  開始時刻保持部
１０９  時刻設定部
１１０  操作部
１１１  表示部
１１２  鳴音部
２０１  開始設定時刻領域
２０２  停止設定時刻領域
２０３  使用者指定領域
【図１】
2006050293.tif 000003
【図２】
2006050293.tif 000004
【図３】
2006050293.tif 000005
【図４】
2006050293.tif 000006
【図５】
2006050293.tif 000007
【図６】
2006050293.tif 000008
【図７】
2006050293.tif 000009
【図８】
2006050293.tif 000010